(57)【要約】【課題】検出対象を含む気体を検出空間に確実に誘導することが可能な感知器を提供することを目的とする。【解決手段】  設置対象物の設置面９００に取り付けられる感知器１００であって、設置面９００と対向する取付面１１を有する感知器１００であり、検出対象が流入する検出空間４と、検出空間４に流入した検出対象を検出する発光部７２及び受光部７３と、発光部７２及び受光部７３と検出空間４とを収容する筐体３と、検出対象を含む気体であって筐体３の外部の気体が、取付面１１と略直交する方向において、筐体３における取付面１１の反対側から筐体３の内部の検出空間４に流入して、筐体３における取付面１１側から流出されるように気体を誘導する、リブ、傾斜面３１３、遮光部３２、筐体側流入開口３１１、基板側流出開口７１１、筐体側流出開口３１２、裏板２等を備える。【選択図】図４
2018081521.tif 000002
【特許請求の範囲】
【請求項１】
設置対象物の設置面に取り付けられる感知器であって、前記設置面と対向する取付面を有する感知器であり、
検出対象が流入する検出空間と、
前記検出空間に流入した前記検出対象を検出する検出手段と、
前記検出手段及び前記検出空間を収容する収容手段と、
前記検出対象を含む気体であって前記収容手段の外部の前記気体が、前記取付面と略直交する方向において、前記収容手段における前記取付面の反対側から前記収容手段の内部の前記検出空間に流入して、前記収容手段における前記取付面側から流出されるように、前記気体を誘導する誘導手段と、
を備える感知器。
【請求項２】
前記検出空間は、前記取付面に沿う方向において、前記収容手段の略中央側に設けられている、
請求項１に記載の感知器。
【請求項３】
前記検出空間は、前記取付面に沿う方向において、前記収容手段の端側に設けられている、
請求項１に記載の感知器。
【発明の詳細な説明】
【技術分野】
【０００１】
本発明は、感知器に関する。
【背景技術】
【０００２】
従来、煙が流入するチャンバと、チャンバを遮光するためにチャンバの周囲に設けられているラビリンスとを備える火災感知器が知られていた（例えば、特許文献１参照）。この火災感知器は、例えば天井に設置され、天井に対して略直交する方向において天井からの距離（以下、単に「天井からの距離」）が一定の位置において、チャンバに対して、煙を含む気体の流入及び流出がラビリンスを介して行われるように構成されており、このチャンバに流入した気体中の煙の濃度を検出することにより、火災を判定していた。
【先行技術文献】
【特許文献】
【０００３】
【特許文献１】特開２０１１−２４８５４７号公報
【発明の概要】
【発明が解決しようとする課題】
【０００４】
ところで、一般的に、火災発生時に天井に沿って感知器に向かって移動する気体については、天井との間の摩擦の影響を受けるので、天井からの距離に応じて、流速が異なっていた。具体的には、当該流速は、天井からの距離が遠くなるに従って、速くなっていた。
【０００５】
しかしながら、従来の火災感知器においては、天井からの距離が一定の位置において気体の流入及び流出が行われていたので、チャンバの周囲（具体的には、気体の流入側及び流出側）における気体の流速の差に起因する圧力差又は温度差が発生せずに、つまり、当該圧力差又は温度差を利用して気体をチャンバに誘導すること困難となっていた。また、従来の火災感知器においては、チャンバの周囲にラビリンスが設けられていたので、チャンバ内への気体の流入がラビリンスに阻害されてしまう可能性があった。従って、従来の火災感知器においては、チャンバ内への煙の流入がラビリンスに阻害されてしまったとしても、前述の圧力差又は温度差を利用して煙を誘導することができずに、火災を迅速に判定することが困難となる可能性があった。特に、火災の初期段階で発生することが多い燻焼火災であって、発生する煙全体の流速が比較的遅い燻焼火災については、迅速に判定することが特に困難となる可能性があった。
【０００６】
本発明は上記問題に鑑みてなされたもので、検出対象を含む気体を検出空間に確実に誘導することが可能な感知器を提供することを目的とする。
【課題を解決するための手段】
【０００７】
上述した課題を解決し、目的を達成するために、請求項１に記載の感知器は、設置対象物の設置面に取り付けられる感知器であって、前記設置面と対向する取付面を有する感知器であり、検出対象が流入する検出空間と、前記検出空間に流入した前記検出対象を検出する検出手段と、前記検出手段及び前記検出空間を収容する収容手段と、前記検出対象を含む気体であって前記収容手段の外部の前記気体が、前記取付面と略直交する方向において、前記収容手段における前記取付面の反対側から前記収容手段の内部の前記検出空間に流入して、前記収容手段における前記取付面側から流出されるように、前記気体を誘導する誘導手段と、を備える。
【０００８】
また、請求項２に記載の感知器は、請求項１に記載の感知器において、前記検出空間は、前記取付面に沿う方向において、前記収容手段の略中央側に設けられている。
【０００９】
また、請求項３に記載の感知器は、請求項１に記載の感知器において、前記検出空間は、前記取付面に沿う方向において、前記収容手段の端側に設けられている。
【発明の効果】
【００１０】
請求項１に記載の感知器によれば、検出対象を含む気体が、取付面と略直交する方向において、収容手段における取付面の反対側から収容手段の内部の検出空間に流入して、収容手段における取付面側から流出されるように誘導することにより、例えば、気体の流入側と流出側との間において、収容手段の外部を移動する気体の流速の差に起因する圧力差又は温度差が発生するので、当該差を利用して検出対象を含む気体を検出空間に確実に誘導することができる。
【００１１】
請求項２に記載の感知器によれば、検出空間が、取付面に沿う方向において、収容手段の略中央側に設けられていることにより、例えば、取付面に沿う方向において感知器のあらゆる方向から感知器に向かって移動してくる気体を、検出空間に迅速且つ確実に誘導することができる。また、例えば、取付面に沿う方向における感知器の重心が、収容手段の略中央側になるように構成することができるので、重心に関するバランスがよく、取り付け作業等を行いやすい、施工性に優れた感知器を提供することができる。
【００１２】
請求項３に記載の感知器によれば、検出空間が、取付面に沿う方向において、収容手段の端側に設けられていることにより、例えば、収容手段の内部における部品の実装スペースを一か所にまとめることができるので、比較的広い実装スペースを確保することができ、部品の実装性に優れた感知器を提供することができる。
【図面の簡単な説明】
【００１３】
【図１】本実施の形態に係る感知器の斜視図である。
【図２】感知器の底面図である。
【図３】感知器の側面図である。
【図４】図２のＡ―Ａ矢視断面図である。
【図５】図４において気流を例示した図である。
【図６】変形例の感知器の側面図である。
【発明を実施するための形態】
【００１４】
以下に、本発明に係る感知器の実施の形態を図面に基づいて詳細に説明する。なお、この実施の形態によりこの発明が限定されるものではない。
【００１５】
〔実施の形態の基本的概念〕
まずは、実施の形態の基本的概念について説明する。実施の形態は、概略的に、検出空間と、検出手段と、収容手段と、誘導手段とを備える感知器に関するものである。
【００１６】
ここで、「感知器」とは、監視領域の異常を判定する機器であり、具体的には、設置対象物の設置面に取り付けられる機器であって、設置面と対向する取付面を有する機器であり、例えば、監視領域の検出対象を検出することにより、火災、ガス漏れ等の異常を判定する機器である。この「感知器」は、例えば、煙感知器、熱感知器、火災感知器、及びガス漏れ感知器等を含む概念である。また、「監視領域」とは、感知器による監視の対象となっている領域であり、具体的には、一定の広がりを持った空間であって、屋内あるいは屋外の空間であって、例えば、建物の廊下、階段、又は部屋等の空間を含む概念である。また、「設置面」とは、感知器が設置される設置対象物の面であって、例えば、天井における監視領域側の面（つまり、天井の下面）、壁における監視領域側の面（つまり、壁の室内側面）等が挙げられる。また、「取付面」とは、感知器に設けられている面であって、具体的には、設置面と対向した状態で当該設置面に取り付けられる面である。また、「検出対象」とは、感知器による検出の対象であり、具体的には、監視領域の異常に関連するものであり、例えば、煙、熱、炎、及び一酸化炭素等の有毒ガス等を含む概念である。
【００１７】
また、「検出空間」とは、検出対象が流入する空間であり、煙感知器又は火災感知器においては例えば、感知器の外部から遮光されている空間である。また、「検出手段」とは、検出空間に流入した検出対象を検出する手段であり、例えば、発光手段と受光手段とを備える手段である。「発光手段」とは、検出光を発光する手段であり、例えば、発光ダイオード等を含む概念である。「受光手段」とは、発光手段から発光された検出光に基づく光を受光する手段であり、例えば、フォトダイオード等を含む概念である。「発光手段から発光された検出光に基づく光」とは、発光手段から発光された検出光が検出空間に流入した検出対象により散乱されることで生じる光である散乱光、発光手段から発光された検出光が検出空間内で反射されることで生じる反射光、あるいは、発光手段から発光された検出光の少なくとも一部が検出対象により遮られて減った光である減光等を含む概念である。
【００１８】
また、「収容手段」とは、少なくとも、検出手段及び検出空間を収容するものであり、例えば、感知器の外形を構成するものである。
【００１９】
また、「誘導手段」とは、検出対象を含む気体であって収容手段の外部の気体が、取付面と略直交する方向において、収容手段における取付面の反対側から収容手段の内部の検出空間に流入して、収容手段における取付面側から流出されるように、気体を誘導する手段であり、例えば、収容手段に設けられている気体の流路、あるいは、当該流路を形成するための部品等を含む概念である。「略直交」とは、直角に交わること、及び、直角に近い角度（例えば、７０〜１１０度等）にて交わること等を含む概念である。
【００２０】
以下に示す実施の形態では、「感知器」が「火災感知器」であり、「監視領域」が「建物の部屋」であり、「検出対象」が「煙（具体的には、煙の粒子）」である場合について説明する。
【００２１】
（構成）
まず、本実施の形態に係る感知器の構成について説明する。図１は、本実施の形態に係る感知器の斜視図であり、図２は、感知器の底面図であり、図３は、感知器の側面図であり、図４は、図２のＡ―Ａ矢視断面図である。なお、説明の便宜上、図３及び図４については、図１のリブ３３が省略されており、また、不図示の防災受信機からの電力の供給を受けるための電源線、及び、当該防災受信機に対して火災を報知するための信号である火災信号を送信するための通信線が省略されている。また、以下の説明では、図２〜図４に示すＸ―Ｙ―Ｚ方向が互いに直交する方向であり、具体的には、Ｚ方向が鉛直方向であって、Ｘ方向及びＹ方向が鉛直方向に対して直交する水平方向であるものとして、例えば、Ｚ方向を高さ方向、あるいは、取付面１１と略直交する方向と称し、＋Ｚ方向を上側（平面、あるいは、筐体３における取付面１１側）と称し、−Ｚ方向を下側（底面、あるいは、筐体３における取付面１１の反対側）と称して説明する。また、以下の「Ｘ―Ｙ―Ｚ方向」に関する用語については、図示の感知器１００において、各構成品の相対的な位置関係（又は、方向）等を説明するための便宜的な表現であることとし、図４の検出空間４の中心位置を基準として、ＸＹ平面に沿って検出空間４から離れる方向を「外側又は端側」と称し、検出空間４に近づく方向を「内側又は中央側」と称して、以下説明する。
【００２２】
これら各図に示す感知器１００は、監視領域の煙を検出することにより、火災を判定する機器であり、具体的には、図４に示すように、監視領域の天井面である設置面９００に取り付けて用いられるものであり、例えば、取付ベース１、裏板２、筐体３、検出空間４、支持部５、防虫網６、及び回路部７を備える。
【００２３】
（構成−取付ベース）
取付ベース１は、設置面９００に対して、裏板２及び筐体３を取り付けるための取付手段である。この取付ベース１の具体的な種類や構成は任意であるが、例えば、設置面９００と対向する面である取付面１１を備えているものであって、裏板２と設置面９００との間において、裏板２及び設置面９００に対して公知の固定手段（例えば、ねじあるいは嵌合構造等）によって固定されているものである。
【００２４】
（構成−裏板）
裏板２は、煙を含む気体（以下、単に「気体」）を誘導する誘導手段であり、例えば、筐体３との間に外部流出側流路Ｆ１を形成するものである。ここで、「外部流出側流路」Ｆ１とは、気体を誘導する誘導手段であり、具体的には、検出空間４の気体を感知器１００の外部に流出させるための流路である。この裏板２の具体的な種類や構成は任意であるが、例えば、筐体３と同径の円盤形状を呈しているものであり、スペーサ８１を挟んで筐体３に対して公知の固定手段（例えば、ねじあるいは接着剤等）によって固定されており、また、取付ベース１に対して公知の固定手段（例えば、ねじあるいは嵌合構造等）によって固定されているものである。
【００２５】
（構成−筐体）
筐体３は、検出空間４、支持部５、防虫網６、及び回路部７（以下、「検出空間４、支持部５、防虫網６、及び回路部７」を「収容対象」とも称する）を収容する収容手段である。筐体３の具体的な種類や構成は任意であるが、例えば、本体部３１、遮光部３２、及び図１のリブ３３を備えているものである。
【００２６】
（構成−筐体−本体部）
図４の本体部３１は、収容対象を収容するものであり、例えば、高さ方向（Ｚ方向）における上側（＋Ｚ方向）に設けられている円筒状部分であって裏板２と同径の円筒状部分と、この円筒状部分から下側（−Ｚ方向）に向かうにつれて小径となっているテーパ状部分とによって形成されているものである。また、本体部３１は、筐体側流入開口３１１、筐体側流出開口３１２、及び傾斜面３１３を備えているものである。筐体側流入開口３１１は、気体を誘導する誘導手段であり、具体的には、感知器１００の外部の気体を検出空間４に流入させるためのものであり、例えば、本体部３１の下側（−Ｚ方向）の面の、ＸＹ平面に平行な方向における中心に設けられているものである。筐体側流出開口３１２は、検出空間４の気体を誘導する誘導手段であり、検出空間４の気体を感知器１００の外部に流出させるためのものであり、例えば、本体部３１の上側（−Ｚ方向）の面の、ＸＹ平面に平行な方向における中心に設けられているものである。傾斜面３１３は、気体を誘導する誘導手段であり、具体的には、感知器１００の外部の気体を検出空間４に流入させるためのものであり、例えば、本体部３１のテーパ状部分に設けられているものである。
【００２７】
（構成−筐体−遮光部）
遮光部３２は、検出空間４の外側からの光を遮光する遮光手段であり、また、気体を誘導する誘導手段であり、誘導手段としては例えば、本体部３１との間に流入側流路Ｆ２を形成するものである。ここで、「流入側流路」Ｆ２とは、気体を誘導する誘導手段であり、具体的には、感知器１００の外部の気体を検出空間４に流入させるための流路である。この遮光部３２は、例えば、本体部３１における円筒状部分より小径であり、且つ、当該本体部３１のテーパ状部分における下側（−Ｚ方向）の端部よりも僅かに大径となっている円盤形状を呈しているものであって、図１のリブ３３を介して本体部３１に固定されているものであり、図４の対向面３２１を備えているものである。ここで、「対向面」３２１は、気体を誘導する誘導手段であり、具体的には、感知器１００の外部の気体を検出空間４に流入させるためのものであって、例えば、ＸＹ平面に平行な方向において遮光部３２の端側から中央側に向かうにつれて、上側（＋Ｚ方向）に向かって隆起しているものである。このように、対向面３２１を有する遮光部３２が設けられているので、感知器１００においては、従来の不図示のラビリンスを省略することができ、検出空間４への気体の流入特性を向上させることが可能となっている。
【００２８】
（構成−筐体−リブ）
図１のリブ３３は、筐体３全体の強度を補強する補強手段であり、また、気体を誘導する誘導手段であり、誘導手段としては具体的には、感知器１００の外部の気体を検出空間４に流入させるためのものである。リブ３３は、筐体側流入開口３１１を基準に放射状に設けられている平板形状を呈しているものであり、複数設けられているものである。
【００２９】
（構成−検出空間）
図４の検出空間４は、気体が流入する空間である。検出空間４の具体的な種類や構成は任意であるが、例えば、取付面１１に沿う方向（ＸＹ平面に平行な方向）において、筐体３の略中央側に設けられている空間であり、筐体３の一部、後述する素子支持部５２、及び後述する回路基板７１によって取り囲まれている空間である。なお、「取付面１１に沿う方向（ＸＹ平面に平行な方向）において、筐体３の略中央側」とは、筐体３の内部の位置であり、具体的には、取付面１１に沿う方向における筐体３の中心を基準に、取付面１１に沿う方向における所定半径（例えば、取付面１１に沿う方向における筐体３の幅の６分の１〜８分の１等）以内の位置に対応する概念である。
【００３０】
（構成−支持部）
支持部５は、回路部７を支持する支持手段である。支持部５の具体的な種類や構成は任意であるが、例えば、基板支持部５１、及び素子支持部５２を備えているものである。
【００３１】
（構成−支持部−基板支持部）
基板支持部５１は、筐体３に対して後述する回路基板７１を支持する支持手段であり、また、気体を誘導する誘導手段であり、誘導手段としては具体的には、内部流出側流路Ｆ３を形成するものである。ここで、「内部流出側流路」Ｆ３とは、気体を誘導する誘導手段であり、具体的には、検出空間４の気体を感知器１００の外部に流出させるための流路である。この基板支持部５１は、例えば、後述する基板側流出開口７１１よりも大径である内径を有する円筒形状を呈しているものであり、本体部３１の上側（＋Ｚ方向）の面と後述する回路基板７１との間において、本体部３１の上側（＋Ｚ方向）の面及び回路基板７１に対して公知の固定手段（例えば、ねじあるいは接着剤等）によって固定されているものである。
【００３２】
（構成−支持部−素子支持部）
素子支持部５２は、筐体３に対して後述する発光部７２及び受光部７３を支持する支持手段であり、また、検出空間４を区画する区画手段であり、また、気体を誘導する誘導手段である。この素子支持部５２は、例えば、筐体側流入開口３１１及び後述する基板側流出開口７１１よりも大径である内径を有する円筒形状を呈しているものであり、発光部７２及び受光部７３が装着されているものであって、本体部３１の下側（−Ｚ方向）の面と後述する回路基板７１との間において、本体部３１の下側（−Ｚ方向）の面及び回路基板７１に対して公知の固定手段（例えば、ねじあるいは接着剤等）によって固定されているものである。
【００３３】
（構成−防虫網）
防虫網６は、検出空間４に虫が進入するのを防止する防虫手段であり、また、検出空間４に対して気体を流入させる流入手段である。防虫網６の具体的な種類や構成は任意であるが、例えば、流入側防虫網６１、及び流出側防虫網６２を備えているものである。
【００３４】
（構成−防虫網−流入側防虫網）
流入側防虫網６１は、検出空間４の外部から内部に、流入側防虫網６１自身の小孔を介して気体が流入するのを許容する一方で、検出空間４に虫が入ることを防止するものであり、例えば、全体としては筐体側流入開口３１１よりも大径のものであり、当該筐体側流入開口３１１を覆うように設けられているものである。
【００３５】
（構成−防虫網−流出側防虫網）
流出側防虫網６２は、内部流出側流路Ｆ３を介して検出空間４の内部から外部に、流出側防虫網６２自身の小孔を介して気体が流出するのを許容する一方で、内部流出側流路Ｆ３を介して検出空間４に虫が入ることを防止するものであり、例えば、全体としては筐体側流出開口３１２よりも大径のものであり、当該筐体側流出開口３１２を覆うように設けられているものである。
【００３６】
（構成−回路部）
回路部７は、検出対象である煙を検出することにより火災を判定するための電気回路を形成する回路手段である。回路部７の具体的な種類や構成は任意であるが、例えば、回路基板７１、発光部７２、及び受光部７３を備えているものである。
【００３７】
（構成−回路部−回路基板）
回路基板７１は、感知器１００の各素子が実装される実装手段であり、例えば、全体としてＸＹ平面に沿ってひろがっており、支持部５によって支持されて固定されているものである。また、回路基板７１は、基板側流出開口７１１を備えているものである。基板側流出開口７１１は、気体を誘導する誘導手段であり、具体的には、検出空間４の気体を、内部流出側流路Ｆ３を介して感知器１００の外部に流出させるためのものであり、例えば、基板支持部５１の内径及び素子支持部５２の内径よりも小径であり、ＸＹ平面に平行な方向における回路基板７１の中心に設けられているものである。
【００３８】
（構成−回路部−発光部）
発光部７２は、検出空間４に流入した煙を検出するための検出手段であり、具体的には、煙を検出するための光である検出光を検出空間４に向かって発光する発光手段である。発光部７２の具体的な種類や構成は任意であるが、例えば、発光ダイオード等を備えるものである。
【００３９】
（構成−回路部−受光部）
受光部７３は、検出空間４に流入した煙を検出するための検出手段であり、具体的には、検出空間４で発生した散乱光を受光する受光手段である。受光部７３の具体的な種類や構成は任意であるが、例えば、フォトダイオード等を備えるものである。
【００４０】
（気体の誘導）
次に、このように構成された、感知器１００における気体の誘導について説明する。図５は、図４において気流を例示した図である。なお、この図５の矢印Ａｆ１は、煙を含む気体の流れる方向（つまり、気流の方向）についての、所定の実験又はシミュレーション等の結果に基づく、気流の方向を例示するものである。感知器１００は、筐体３の外部のあらゆる方向からの気体を、高さ方向（Ｚ方向）において、下側（−Ｚ方向）から検出空間４に流入させた後に、上側（＋Ｚ方向）から流出させるように誘導することができるが、ここでは、例えば、図５の矢印Ａｆ１に沿って誘導する場合について説明する。
【００４１】
監視領域で火災が発生した場合、当該火災に基づく熱気流によって、図５の感知器１００の外部の気体（煙を含む気体）は、矢印Ａｆ１が示すように、設置面９００に沿って（あるいは、設置面９００と平行に）感知器１００に向かって移動した後、流入側流路Ｆ２、筐体側流入開口３１１、及び流入側防虫網６１の小孔を介して、検出空間４に誘導される。詳細には、気体は、筐体３の傾斜面３１３に沿って本体部３１側から遮光部３２側に誘導された後、遮光部３２の対向面３２１及び図１のリブ３３に沿って、図５の検出空間４側に誘導される。特に、火災発生時に設置面９００に沿って（あるいは、設置面９００と平行に）感知器１００に向かって移動する気体については、一般的には、設置面９００から下側（−Ｚ方向）に向かって離れるに従って流速が速くなっている。このために、この流速の差に起因して温度差又は圧力差が発生し、筐体３の下側（−Ｚ方向）である流速が速い側から、筐体３の上側（＋Ｚ方向）である流速が遅い側に、感知器１００の外部の気体を、前述のように移動させることにより、当該気体を検出空間４に確実に誘導することができる。
【００４２】
この後、検出空間４に誘導された気体は、矢印Ａｆ１に示すように、基板側流出開口７１１、内部流出側流路Ｆ３、流出側防虫網６２の小孔、筐体側流出開口３１２、外部流出側流路Ｆ１を介して、感知器１００の外部に誘導される。
【００４３】
（火災の判定）
次に、このように構成された、感知器１００における火災の判定について説明する。感知器１００の回路基板７１の不図示の制御部（例えば、ＣＰＵ等）は、公知の手法と同様にして、火災を判定する。すなわち、当該制御部は、発光部７２及び受光部７３を用いて煙の濃度を検出した上で、検出した煙の濃度に基づいて火災を判定する。
【００４４】
（実施の形態の効果）
このように本実施の形態によれば、煙を含む気体が、取付面１１と略直交する方向において、筐体３における取付面１１の反対側から筐体３の内部の検出空間４に流入して、筐体３における取付面１１側から流出されるように誘導することにより、例えば、気体の流入側と流出側との間において、筐体３の外部を移動する気体の流速の差に起因する圧力差又は温度差が発生するので、当該差を利用して煙を含む気体を検出空間４に確実に誘導することができる。
【００４５】
また、検出空間４が、取付面１１に沿う方向において、筐体３の略中央側に設けられていることにより、例えば、取付面１１に沿う方向において感知器１００のあらゆる方向から感知器１００に向かって移動してくる気体を、検出空間４に迅速且つ確実に誘導することができる。また、例えば、取付面１１に沿う方向における感知器１００の重心が、感知器１００の略中央側になるように構成することができるので、重心に関するバランスがよく、取り付け作業等を行いやすい施工性に優れた感知器１００を提供することができる。
【００４６】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００４７】
（解決しようとする課題や発明の効果について）
まず、発明が解決しようとする課題や発明の効果は、上述の内容に限定されるものではなく、発明の実施環境や構成の詳細に応じて異なる可能性があり、上述した課題の一部のみを解決したり、上述した効果の一部のみを奏したりすることがある。
【００４８】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【００４９】
（検出空間について）
また、上記実施の形態では、図４の検出空間４が、取付面１１に沿う方向（ＸＹ平面に平行な方向）において、筐体３の略中央側に設けられている場合について説明したが、これに限らない。例えば、検出空間４を、取付面１１に沿う方向（ＸＹ平面に平行な方向）において、筐体３の端側に設けてもよい。ここで、「取付面１１に沿う方向（ＸＹ平面に平行な方向）において、筐体３の端側」とは、筐体３の内部の位置であり、具体的には、前述の「取付面１１に沿う方向（ＸＹ平面に平行な方向）において、筐体３の略中央側」以外の位置であって、取付面１１に沿う方向における筐体３の中心を基準に、取付面１１に沿う方向における所定半径（例えば、取付面１１に沿う方向における筐体３の幅の６分の１〜８分の１等）よりも離れた位置に対応する概念である。より詳細には、検出空間４を図４において図面左側のみに設けたり、図面右側のみに設けたり、あるいは、図面左側及び図面右側の両方に合計２個設けてもよい。この場合、検出空間４以外の要素についても、適宜位置を変更してもよい。そして、検出空間４を図４において、図面左側のみに設けた場合、あるいは、図面右側のみに設けた場合、検出空間４が、取付面１１に沿う方向において、筐体３の端側に設けられていることにより、例えば、筐体３の内部における部品の実装スペースを一か所にまとめることができるので、比較的広い実装スペースを確保することができ、部品の実装性に優れた感知器１００を提供することができる。
【００５０】
（裏板及び取付ベースについて）
また、上記実施の形態の図４の裏板２を、設置面９００に直接取り付けられるよう構成した上で、取付ベース１を省略してもよい。この場合、裏板２における上側（＋Ｚ方向）の面が「取付面」に相当する。また、上記実施の形態の図４の取付ベース１を省略せずに、裏板２を省略した上で、取付ベース１を筐体３に対してスペーサ８１を挟んで固定してもよい。
【００５１】
（筐体の内部構成について）
また、上記実施の形態の図４の各支持部５の内径を任意に変更した上で、筐体側流入開口３１１、基板側流出開口７１１、又は筐体側流出開口３１２の位置又は大きさを任意に変更してもよい。具体的には、筐体側流入開口３１１、基板側流出開口７１１、及び筐体側流出開口３１２が、高さ方向（Ｚ方向）において一直線に並ばないように配置してもよい。
【００５２】
（気流発生手段について）
また、上記実施の形態の図４の感知器１００に、気体を、例えば図５の矢印Ａｆ１に沿って誘導するための気流を発生する、気流発生部（気流発手段）を設けてもよい。具体的には、検出空間４の内部あるいは外部に、気流発生部として、公知の圧電素子を用いたマイクロポンプ、発熱する公知の発熱素子、あるいは、吸熱する公知の吸熱素子等を設けてもよい。そして、この気流発生部については、回路基板７１の不図示の制御部（例えば、ＣＰＵ等）が、所定のプログラムに基づいて制御してもよい。
【００５３】
（感知器の取り付けについて）
また、上記実施の形態では、図４の感知器１００を監視領域の天井である設置面９００に取り付けて用いる場合について説明したが、これに限らない。例えば、感知器１００を監視領域の壁に取り付けて用いてもよい。
【００５４】
（公知の構成の適用について）
また、上記実施の形態の図４の感知器１００について、公知の感知器の構成を含むように改造等行ってもよい。例えば、感知器１００が不図示の防災受信機との間で無線通信を行うための改造、あるいは、感知器１００に電池を設けて当該電池の電力を用いて感知器１００が動作するための改造等を含む任意の改造を行ってもよい。
【００５５】
（感知器への適用について）
また、上記実施の形態の図４の感知器１００の特徴を、公知の散乱光式の感知器に適用してもよいし、公知の減光式の感知器に適用してもよい。
【００５６】
（一体構成について）
また、上記実施の形態の図４の感知器１００の任意の部品を、一体的なものとして構成してもよい。例えば、基板支持部５１、素子支持部５２、及びスペーサ８１を、一体的なものとして構成してもよい。
【００５７】
（熱溶着について）
また、上記実施の形態の図４の感知器１００の任意の部品を、熱溶着して固定してもよい。例えば、素子支持部５２を、本体部３１の下側（−Ｚ方向）の面と回路基板７１との間において、これらに対して熱溶着して固定してもよい。
【００５８】
（基板側流出開口について）
また、図４の回路基板７１に対して、基板側流出開口７１１と共に、あるいは、基板側流出開口７１１の代わりに、基板側流出切欠きを設けてもよい。ここで、「基板側流出切欠き」とは、気体を誘導する誘導手段であり、具体的には、検出空間４の気体を、内部流出側流路Ｆ３を介して感知器１００の外部に流出させるためのものである。この基板側流出切欠きの形状については任意であり、不図示であるが、例えば、図４のＸＹ平面に平行な方向における、回路基板７１の縁側から中心側に向かって、Ｖ字形状又はＵ字形状等に抉って切欠くことにより形成してもよい。
【００５９】
（遮光部について）
また、上記実施の形態では、図３に示すように、遮光部３２を本体部３１から離して設ける場合について説明したが、遮光部３２の位置を任意に変更してもよい。図６は、変形例の感知器の側面図である。例えば、この図６に示すように、図３の遮光部３２に対応する図６の遮光部３２Ａが本体部３１側に接触するように設けて、感知器１００Ａを構成してもよい。詳細には、遮光部３２Ａが本体部３１自体の少なくとも一部に接触するように構成してもよいし、また、遮光部３２Ａが本体部３１側の要素である例えば防虫網６等に接触するように構成してもよい。
【００６０】
（特徴について）
また、上記実施の形態の特徴及び変形例の特徴を任意に組合わせてもよい。
【００６１】
（付記）
付記１の感知器は、設置対象物の設置面に取り付けられる感知器であって、前記設置面と対向する取付面を有する感知器であり、検出対象が流入する検出空間と、前記検出空間に流入した前記検出対象を検出する検出手段と、前記検出手段及び前記検出空間を収容する収容手段と、前記検出対象を含む気体であって前記収容手段の外部の前記気体が、前記取付面と略直交する方向において、前記収容手段における前記取付面の反対側から前記収容手段の内部の前記検出空間に流入して、前記収容手段における前記取付面側から流出されるように、前記気体を誘導する誘導手段と、を備える。
【００６２】
付記２の感知器は、付記１に記載の感知器において、前記検出空間は、前記取付面に沿う方向において、前記収容手段の略中央側に設けられている。
【００６３】
付記３の感知器は、付記１に記載の感知器において、前記検出空間は、前記取付面に沿う方向において、前記収容手段の端側に設けられている。
【００６４】
（付記の効果）
付記１に記載の感知器によれば、検出対象を含む気体が、取付面と略直交する方向において、収容手段における取付面の反対側から収容手段の内部の検出空間に流入して、収容手段における取付面側から流出されるように誘導することにより、例えば、気体の流入側と流出側との間において、収容手段の外部を移動する気体の流速の差に起因する圧力差又は温度差が発生するので、当該差を利用して検出対象を含む気体を検出空間に確実に誘導することができる。
【００６５】
付記２に記載の感知器によれば、検出空間が、取付面に沿う方向において、収容手段の略中央側に設けられていることにより、例えば、取付面に沿う方向において感知器のあらゆる方向から感知器に向かって移動してくる気体を、検出空間に迅速且つ確実に誘導することができる。また、例えば、取付面に沿う方向における感知器の重心が、収容手段の略中央側になるように構成することができるので、重心に関するバランスがよく、取り付け作業等を行いやすい、施工性に優れた感知器を提供することができる。
【００６６】
付記３に記載の感知器によれば、検出空間が、取付面に沿う方向において、収容手段の端側に設けられていることにより、例えば、収容手段の内部における部品の実装スペースを一か所にまとめることができるので、比較的広い実装スペースを確保することができ、部品の実装性に優れた感知器を提供することができる。
【符号の説明】
【００６７】
１  取付ベース
２  裏板
３  筐体
４  検出空間
５  支持部
６  防虫網
７  回路部
１１  取付面
３１  本体部
３２  遮光部
３２Ａ  遮光部
３３  リブ
５１  基板支持部
５２  素子支持部
６１  流入側防虫網
６２  流出側防虫網
７１  回路基板
７２  発光部
７３  受光部
８１  スペーサ
１００  感知器
１００Ａ  感知器
３１１  筐体側流入開口
３１２  筐体側流出開口
３１３  傾斜面
３２１  対向面
７１１  基板側流出開口
９００  設置面
Ａｆ１  矢印
Ｆ１  外部流出側流路
Ｆ２  流入側流路
Ｆ３  内部流出側流路
【図１】
2018081521.tif 000003
【図２】
2018081521.tif 000004
【図３】
2018081521.tif 000005
【図４】
2018081521.tif 000006
【図５】
2018081521.tif 000007
【図６】
2018081521.tif 000008